(57)【要約】【課題】  各ページのＲＧＢ特性がモノクロでない場合も、モノクロとしたり、カラーとしたりすることを効率的に適時切り替えながら、正しい印刷モードでの出力を設定することである。【解決手段】  プリンタドライバ２０３が選択された判断基準に基づいてスプールされている中間コードのカラーモノクロ判定を行い、該判定結果に基づいて、あいまいと判断されたページと通常判定されたページとを印刷設定画面上に識別表示し、該識別子が表示されているページに設定されている印刷モードの変更を受け付け、該受け付けた印刷モードで各ページの印刷モードを確定させた後、確定あれた印刷モードに従って記憶部に記憶されている中間コードを印刷データに変換してプリンタ１５００に転送する構成を特徴とする。【選択図】  図２
2005216030.tif 000002
【特許請求の範囲】
【請求項１】
プリンタと通信可能なプリンタドライバを介して描画情報から印刷データを生成処理する情報処理装置であって、
前記描画情報を前記印刷データとは異なるデータ形式の中間コードに変換して記憶部に一時保存をするスプール手段と、
前記印刷データをカラーまたはモノクロ判定するための判断基準を選択する判定基準選択手段と、
前記判定基準選択手段により選択された判断基準に基づいて前記中間コードのカラーモノクロ判定を行う判定手段と、
前記判定手段で判定された判定結果に基づいて、あいまいと判断されたページと通常判定されたページとを識別表示する表示制御手段と、
前記表示制御手段により識別子が表示されているページに設定されている印刷モードを変更する変更手段と、
前記変更手段により変更された印刷モードに従って前記記憶部に記憶されている前記中間コードを印刷データに変換して転送する転送手段と、
を有することを特徴とする情報処理装置。
【請求項２】
前記判定基準選択手段で選択された判断基準に基づいてカラーモノクロ判定を行った結果、あいまいと判断されたページの色情報をモノクロページとして前記記憶部に仮登録することを特徴とする請求項１記載の情報処理装置。
【請求項３】
前記判定基準選択手段で選択された判断基準に基づいてカラーモノクロ判定を行った結果、あいまいと判断されたページの色情報をカラーページとして前記記憶部に仮登録することを特徴とする請求項１記載の情報処理装置。
【請求項４】
前記判定手段は、あいまいと判断されたページにあいまいを意味する識別子を付加設定することを特徴とする請求項１記載の情報処理装置。
【請求項５】
前記変更手段は、あいまいを意味する識別子がついていないページに関しても、印刷プレビューから印刷モードの変更を可能とすることを特徴とする請求項１記載の情報処理装置。
【請求項６】
前記プリンタドライバは、印刷アプリケーションインタフェースから通知される印刷設定を取得可能とすることを特徴とする請求項１記載の情報処理装置。
【請求項７】
プリンタと通信可能なプリンタドライバを介して描画情報から印刷データを生成処理する情報処理装置におけるデータ処理方法であって、
前記描画情報を前記印刷データとは異なるデータ形式の中間コードに変換して記憶部に一時保存をするスプールステップと、
前記印刷データをカラーまたはモノクロ判定するための判断基準を選択する判定基準選択ステップと、
前記判定基準選択ステップにより選択された判断基準に基づいて前記中間コードのカラーモノクロ判定を行う判定ステップと、
前記判定ステップで判定された判定結果に基づいて、あいまいと判断されたページと通常判定されたページとを識別表示する表示制御ステップと、
前記表示制御ステップにより識別子が表示されているページに設定されている印刷モードを変更する変更ステップと、
前記変更ステップにより変更された印刷モードに従って前記記憶部に記憶されている前記中間コードを印刷データに変換して転送する転送ステップと、
を有することを特徴とするデータ処理方法。
【請求項８】
前記判定基準選択ステップで選択された判断基準に基づいてカラーモノクロ判定を行った結果、あいまいと判断されたページの色情報をモノクロページとして前記記憶部に仮登録することを特徴とする請求項７記載のデータ処理方法。
【請求項９】
前記判定基準選択ステップで選択された判断基準に基づいてカラーモノクロ判定を行った結果、あいまいと判断されたページの色情報をカラーページとして前記記憶部に仮登録することを特徴とする請求項７記載のデータ処理方法。
【請求項１０】
前記判定ステップは、あいまいと判断されたページにあいまいを意味する識別子を付加設定することを特徴とする請求項７記載のデータ処理方法。
【請求項１１】
前記変更ステップは、あいまいを意味する識別子がついていないページに関しても、印刷プレビューから印刷モードの変更を可能とすることを特徴とする請求項７記載のデータ処理方法。
【請求項１２】
前記プリンタドライバは、印刷アプリケーションインタフェースから通知される印刷設定を取得可能とすることを特徴とする請求項７記載のデータ処理方法。
【請求項１３】
請求項７〜１２のいずれかに記載のデータ処理方法を実行させるためのプログラムを格納したことを特徴とするコンピュータが読み取り可能な記憶媒体。
【請求項１４】
請求項７〜１２のいずれかに記載のデータ処理方法を実行させることを特徴とするプログラム。
【発明の詳細な説明】
【技術分野】
【０００１】
本発明は、プリンタと通信可能なプリンタドライバを介して描画情報から印刷データを生成処理する情報処理装置およびデータ処理方法およびコンピュータが読み取り可能なプログラムを格納した記憶媒体およびプログラムに関する。
【背景技術】
【０００２】
昨今、カラープリンタが急速に普及したことにより、パソコン、ワープロ、ワークステーション等のＤＴＰ機器で作成したカラーモノクロ混在文書を、カラープリンタによってプリントアウトすることが多くなっている。
【０００３】
また、最近のカラープリンタの中には、カラー印刷モードとモノクロ印刷モードを備え、モノクロ印刷モードでは処理速度を速めたり、課金をカラー印刷とモノクロ印刷で変更し、モノクロ印刷モードではカラー印刷モードより安く設定されているものがある。
【０００４】
一方、カラー出力をサービスするプリントサービスシステムにおいては、入力される情報のＲＧＢ値が厳密に同じものだけをモノクロと判断するように構成されている場合がある。
【０００５】
そのため、パソコン、ワープロ、ワークステーション等のＤＴＰ機器から転送される文書の内容を、プリンタドライバがスプールデータをチェックすることによって、カラー印刷モードとモノクロ印刷モードに自動的に切り替えるということが行われているが、色の三原色であるＲＧＢが厳密に同じものだけをモノクロと判断すると、見た目にはほとんどモノクロだが、実際にはカラー課金されてしまう場合がある。プリンタドライバがスプールデータをチェックすることによりオートカラー処理を行う技術では、特許文献１が存在する。
【特許文献１】特開平１０−２８５４２１号公報
【発明の開示】
【発明が解決しようとする課題】
【０００６】
このような現象を回避する為には、プリンタドライバで行っているカラーモノクロ判定の判断基準をあまくするという方法があるが、逆にこれは、カラー原稿をモノクロと判断する誤判定につながる場合がある。
【０００７】
また、この誤判定は、本来ならシアン、マゼンタ、イエローの三色の合成によって黒を表現したい（プロセスグレー）という要望を、Ｋ（ブラック）一色で表現してしまう為、色が鮮明になりすぎるという画質上においても問題を引き起こしてしまうという課題があった。
【０００８】
本発明は、上記の問題点を解決するためになされたもので、本発明の目的は、ページ毎のカラー印刷モード、モノクロ印刷モード指定処理をプリンタドライバで自動判定する際に、ＲＧＢが全く同じものだけをカラーと判定するのではなく、ＲＧＢの差がある一定値以下である、あいまいなページに関しては、印刷時にプレビュー上であいまいであることを示す識別子を表示制御することにより、ユーザの期待する印刷モードとしてのモノクロ／カラー判定結果でなかった時には、プレビュー上からそのページの印刷モードを適宜変更設定することにより、各ページのＲＧＢ特性がモノクロでない場合も、モノクロとしたり、カラーとしたりすることを効率的に適時切り替えながら、正しい印刷モードでの出力を設定することができるデータ処理環境を自在に構築可能な情報処理装置およびデータ処理方法およびコンピュータが読み取り可能なプログラムを格納した記憶媒体およびプログラムを提供することである。
【課題を解決するための手段】
【０００９】
本発明に係る第１の発明は、プリンタと通信可能なプリンタドライバを介して描画情報から印刷データを生成処理する情報処理装置であって、前記描画情報を前記印刷データとは異なるデータ形式の中間コードに変換して記憶部に一時保存をするスプール手段（例えば図３に示すスプールファイル３０３）と、前記印刷データをカラーまたはモノクロ判定するための判断基準を選択する判定基準選択手段（例えば図７に示す設定画面）と、前記判定基準選択手段により選択された判断基準に基づいて前記中間コードのカラーモノクロ判定を行う判定手段（図３に示すプリンタドライバ２０３が実行する例えば図６に示すステップ（５０３））と、前記判定手段で判定された判定結果に基づいて、あいまいと判断されたページと通常判定されたページとを識別表示する表示制御手段（図３に示すプリンタドライバ２０３による図１０に示すプレビュー画面例）と、前記表示制御手段により識別子が表示されているページに設定されている印刷モードを変更する変更手段（図１０に示すプレビュー画面上のコンボボックスＣＢ１等）と、前記変更手段により変更された印刷モードに従って前記記憶部に記憶されている前記中間コードを印刷データに変換して転送する転送手段（図１３に示すステップ（８０２），図１４に示すステップ（８０４））とを有することを特徴とする。
【００１０】
本発明に係る第２の発明は、前記判定基準選択手段で選択された判断基準に基づいてカラーモノクロ判定を行った結果、あいまいと判断されたページの色情報をモノクロページとして前記記憶部に仮登録することを特徴とする。
【００１１】
本発明に係る第３の発明は、前記判定基準選択手段で選択された判断基準に基づいてカラーモノクロ判定を行った結果、あいまいと判断されたページの色情報をカラーページとして前記記憶部に仮登録することを特徴とする。
【００１２】
本発明に係る第４の発明は、前記判定手段は、あいまいと判断されたページにあいまいを意味する識別子を付加設定することを特徴とする。
【００１３】
本発明に係る第５の発明は、前記変更手段は、あいまいを意味する識別子がついていないページに関しても、印刷プレビューから印刷モードの変更を可能とすることを特徴とする。
【００１４】
本発明に係る第６の発明は、前記プリンタドライバは、印刷アプリケーションインタフェースから通知される印刷設定を取得可能とすることを特徴とする。
【００１５】
本発明に係る第７の発明は、プリンタと通信可能なプリンタドライバを介して描画情報から印刷データを生成処理する情報処理装置におけるデータ処理方法であって、前記描画情報を前記印刷データとは異なるデータ形式の中間コードに変換して記憶部に一時保存をするスプールステップ（図６に示すステップ（５０１）の前ステップであって、図示しない）と、前記印刷データをカラーまたはモノクロ判定するための判断基準を選択する判定基準選択ステップ（図６に示すステップ（５０１）の前ステップであって、図示しない）と、前記判定基準選択ステップにより選択された判断基準に基づいて前記中間コードのカラーモノクロ判定を行う判定ステップ（図６に示すステップ（５０３））と、前記判定ステップで判定された判定結果に基づいて、あいまいと判断されたページと通常判定されたページとを識別表示する表示制御ステップと、前記表示制御ステップにより識別子が表示されているページに設定されている印刷モードを変更する変更ステップ（図示しない）と、前記変更ステップにより変更された印刷モードに従って前記記憶部に記憶されている前記中間コードを印刷データに変換して転送する転送ステップ（図１３に示すステップ（８０２），図１４に示すステップ（８０４））とを有することを特徴とする。
【００１６】
本発明に係る第８の発明は、前記判定基準選択ステップで選択された判断基準に基づいてカラーモノクロ判定を行った結果、あいまいと判断されたページの色情報をモノクロページとして前記記憶部に仮登録することを特徴とする。
【００１７】
本発明に係る第９の発明は、前記判定基準選択ステップで選択された判断基準に基づいてカラーモノクロ判定を行った結果、あいまいと判断されたページの色情報をカラーページとして前記記憶部に仮登録することを特徴とする。
【００１８】
本発明に係る第１０の発明は、前記判定ステップは、あいまいと判断されたページにあいまいを意味する識別子を付加設定することを特徴とする。
【００１９】
本発明に係る第１１の発明は、前記変更ステップは、あいまいを意味する識別子がついていないページに関しても、印刷プレビューから印刷モードの変更を可能とすることを特徴とする。
【００２０】
本発明に係る第１２の発明は、前記プリンタドライバは、印刷アプリケーションインタフェースから通知される印刷設定を取得可能とすることを特徴とする。
【００２１】
本発明に係る第１３の発明は、第７〜第１２の発明のいずれかに記載のデータ処理方法を実行させるためのプログラムをコンピュータが読み取り可能な記憶媒体に格納したことを特徴とする。
【００２２】
本発明に係る第１４の発明は、第７〜第１２の発明のいずれかに記載のデータ処理方法を実行させるためのプログラムであることを特徴とする。
【発明の効果】
【００２３】
本発明によれば、プリンタドライバが描画情報から印刷データを生成する際に、各ページのＲＧＢ特性がモノクロでない場合も、モノクロとしたり、カラーとしたりすることを効率的に適時切り替えながら、正しい印刷モードでの出力を設定することができるデータ処理環境を自在に構築可能となる効果を奏する。
【００２４】
したがって、課金処理が伴うプリントサービスを受ける際に、印刷データがユーザが意図する判定結果と食い違う自体を回避して、印刷結果に対する課金に対して違和感を抱かないプリントサービスを展開できる。
【発明を実施するための最良の形態】
【００２５】
次に本発明を実施するための最良の形態について図面を参照して説明する。
【００２６】
〔第１実施形態〕
図１は、本発明の第１実施形態を示すプリンタ制御システムの構成を説明するブロック図である。なお、本発明の機能が実行されるのであれば、単体の機器であっても、複数の機器からなるシステムであっても、ＬＡＮ，ＷＡＮ等のネットワークを介して接続が為され処理が行われるシステムであっても本発明を適用できる。
【００２７】
図１において、ホストコンピュータ３０００は、ＲＯＭ３のプログラム用ＲＯＭあるいは外部メモリ１１に記憶された文書処理プログラム等に基づいて図形、イメージ、文字、表（表計算等を含む）等が混在した文書処理を実行するＣＰＵ１を備え、システムバス４に接続される各デバイスをＣＰＵ１が総括的に制御する。また、このＲＯＭ３のプログラム用ＲＯＭあるいは外部メモリ１１には、ＣＰＵ１の制御プログラムであるオペレーティングシステムプログラム（以下ＯＳ）等を記憶し、ＲＯＭ３のフォント用ＲＯＭあるいは外部メモリ１１には上記文書処理の際に使用するフォントデータ等を記憶し、ＲＯＭ３のデータ用ＲＯＭあるいは外部メモリ１１には上記文書処理等を行う際に使用する各種データを記憶する。ＲＡＭ２は、ＣＰＵ１の主メモリ、ワークエリア等として機能する。
【００２８】
キーボードコントローラ（ＫＢＣ）５は、キーボード（ＫＢ）９や不図示のポインティングデバイスからのキー入力を制御する。ＣＲＴコントローラ（ＣＲＴＣ）６は、ＣＲＴディスプレイ（ＣＲＴ）１０の表示を制御する。７はディスクコントローラ（ＤＫＣ）で、ブートプログラム、各種のアプリケーション、フォントデータ、ユーザファイル、編集ファイル、プリンタ制御コマンド生成プログラム（以下プリンタドライバ）等を記憶するハードディスク（ＨＤ）、フレキシブルディスク（ＦＤ）等の外部メモリ１１とのアクセスを制御する。プリンタコントローラ（ＰＲＴＣ）８は、双方向性インターフェース（インターフェース）２１を介してプリンタ１５００に接続されて、プリンタ１５００との通信制御処理を実行する。
【００２９】
なお、ＣＰＵ１は、例えばＲＡＭ２上に設定された表示情報ＲＡＭへのアウトラインフォントの展開（ラスタライズ）処理を実行し、ＣＲＴ１０上でのＷＹＳＩＷＹＧを可能としている。また、ＣＰＵ１は、ＣＲＴ１０上の不図示のマウスカーソル等で指示されたコマンドに基づいて登録された種々のウインドウを開き、種々のデータ処理を実行する。ユーザは印刷を実行する際、印刷の設定に関するウインドウを開き、プリンタの設定や、印刷モードの選択を含むプリンタドライバに対する印刷処理方法の設定を行える。
【００３０】
プリンタ１５００は、プリンタＣＰＵ（ＣＰＵ）１２により制御される。ＣＰＵ１２は、ＲＯＭ１３のプログラム用ＲＯＭに記憶された制御プログラム等あるいは外部メモリ１４に記憶された制御プログラム等に基づいてシステムバス１５に接続される印刷部（プリンタエンジン）１７に出力情報としての画像信号を出力する。また、このＲＯＭ１３のプログラム用ＲＯＭには、ＣＰＵ１２の制御プログラム等を記憶する。ＲＯＭ１３のフォント用ＲＯＭには上記出力情報を生成する際に使用するフォントデータ等が記憶され、ＲＯＭ１３のデータ用ＲＯＭには、ハードディスク等の外部メモリ１４がないプリンタの場合には、ホストコンピュータ上で利用される情報等が記憶されている。
【００３１】
ＣＰＵ１２は入力部１８を介してホストコンピュータとの通信処理が可能となっており、プリンタ内の情報等をホストコンピュータ３０００に通知できる。ＲＡＭ１９は、ＣＰＵ１２の主メモリや、ワークエリア等として機能するＲＡＭで、図示しない増設ポートに接続されるオプションＲＡＭによりメモリ容量を拡張することができるように構成されている。なお、ＲＡＭ１９は、出力情報展開領域、環境データ格納領域、ＮＶＲＡＭ等に用いられる。前述したハードディスク（ＨＤ）、ＩＣカード等の外部メモリ１４は、メモリコントローラ（ＭＣ）２０によりアクセスを制御される。外部メモリ１４は、オプションとして接続され、フォントデータ、エミュレーションプログラム、フォームデータ等を記憶する。また、１５０１は前述した操作パネルで操作のためのスイッチおよびＬＥＤ表示器等が配されている。
【００３２】
また、前述した外部メモリ１４は１個に限らず、複数個備えられ、内蔵フォントに加えてオプションカード、言語系の異なるプリンタ制御言語を解釈するプログラム、個人用や部門用に使われるボックス機能を格納した外部メモリを複数接続できるように構成されていてもよい。更に、図示しないＮＶＲＡＭを有し、操作パネル１５０１からのプリンタモード設定情報を記憶するようにしてもよい。
【００３３】
図２は、図１に示したホストコンピュータ３０００においてデータ処理を行うモジュールの構成の一例を示す図であり、図１と同一のものには同一の符号を付してある。なお、プリンタ等の印刷装置が直接接続されているか、あるいはネットワーク経由で接続されているホストコンピュータにおける典型的な印刷処理例に対応する。
【００３４】
図２において、アプリケーション２０１、グラフィックエンジン２０２、プリンタドライバ２０３、およびシステムスプーラ２０４は、外部メモリ１１に保存されたファイルとして存在し、実行される場合にＯＳやそのモジュールを利用するモジュールによってＲＡＭ２にロードされ実行されるプログラムモジュールである。
【００３５】
また、アプリケーション２０１およびプリンタドライバ２０３は、外部メモリ１１のＦＤや不図示のＣＤ−ＲＯＭ、あるいは不図示のネットワークを経由して外部メモリ１１のＨＤに追加することが可能となっている。
【００３６】
外部メモリ１１に保存されているアプリケーション２０１はＲＡＭ２にロードされて実行されるが、このアプリケーション２０１からプリンタ１５００に対して印刷を行う際には、同様にＲＡＭ２にロードされ実行可能となっているグラフィックエンジン２０２を利用して出力（描画）を行う。
【００３７】
グラフィックエンジン２０２は、印刷装置毎に用意されたプリンタドライバ２０３を同様に外部メモリ１１からＲＡＭ２にロードし、アプリケーション２１０の出力をプリンタドライバ２０３を用いてプリンタの制御コマンドに変換する。変換されたプリンタ制御コマンドはＯＳによってＲＡＭ２にロードされたシステムスプーラ２０４を経てインターフェース２１経由でプリンタ１５００へ出力される仕組みとなっている。
【００３８】
本実施形態の印刷システムは、図２で示すプリンタとホストコンピュータからなる印刷システムに加えて、更に第３図に示すように、アプリケーションからの印刷データを一旦中間コードデータでスプールする構成を有する。
【００３９】
図３は、図２に示したシステムを拡張したモジュール構成を説明するブロック図であり、図２に示したグラフィックエンジン２０２からプリンタドライバ２０３へ印刷命令を送る際に、一旦中間コードからなるスプールファイル３０３を生成する構成例に対応する。
【００４０】
図２に示すシステムでは、アプリケーション２０１が印刷処理から開放されるのはプリンタドライバ２０３がグラフィックエンジン２０２からのすべての印刷命令をプリンタの制御コマンドへ変換し終った時点である。これに対して、図３のシステムでは、スプーラ３０２がすべての印刷命令を中間コードデータに変換し、スプールファイル３０３に出力した時点である。通常、後者の方が短時間で済む。また、図３で示すシステムにおいては、スプールファイル３０３の内容に対して加工することができる。これによりアプリケーションからの印刷データに対して、拡大縮小や、複数ページを１ページに縮小して印刷する等、アプリケーションの持たない機能を実現する事ができる。
【００４１】
これらの目的のために、図２のシステムに対し、図３に示す様に中間コードデータでスプールする様、システムの拡張がなされてきている。なお、印刷データの加工を行うためには、通常、プリンタドライバ２０３が提供するウインドウから設定を行い、プリンタドライバ２０３がその設定内容をＲＡＭ２上あるいは外部メモリ１１上に保管する。以下、図３の詳細を説明する。
【００４２】
図３に示す通り、この拡張された処理方式では、グラフィックエンジン２０２からの印刷命令をディスパッチャ３０１が受け取る。ディスパッチャ３０１がグラフィックエンジン２０２から受け取った印刷命令が、アプリケーション２０１からグラフィックエンジン２０２へ発行された印刷命令の場合には、ディスパッチャ３０１は外部メモリ１１に格納されているスプーラ３０２をＲＡＭ２にロードし、プリンタドライバ２０３ではなくスプーラ３０２へ印刷命令を送付する。スプーラ３０２は受け取った印刷命令を中間コードに変換してスプールファイル３０３に出力する。
【００４３】
また、スプーラ３０２は、プリンタドライバ２０３に対して設定されている印刷データに関する加工設定をプリンタドライバ２０３から取得してスプールファイル３０３に保存する。
【００４４】
なお、スプールファイル３０３は外部メモリ１１上にファイルとして生成するが、ＲＡＭ２上に生成されても構わない。更にスプーラ３０２は、外部メモリ１１に格納されているスプールファイルマネージャ３０４をＲＡＭ２にロードし、スプールファイルマネージャ３０４に対してスプールファイル３０３の生成状況を通知する。その後、スプールファイルマネージャ３０４は、スプールファイル３０３に保存された印刷データに関する加工設定の内容に従って印刷を行えるか判断する。
【００４５】
スプールファイルマネージャ３０４がグラフィックエンジン２０２を利用して印刷を行えると判断した際には、外部メモリ１１に格納されているデスプーラ３０５をＲＡＭ２にロードし、デスプーラ３０５に対して、スプールファイル３０３に記述された中間コードの印刷処理を行うように指示する。
【００４６】
デスプーラ３０５はスプールファイル３０３に含まれる中間コードをスプールファイル３０３に含まれる加工設定の内容に従って加工し、もう一度グラフィックエンジン２０２経由で出力する。
【００４７】
ディスパッチャ３０１がグラフィックエンジン２０２から受け取った印刷命令がデスプーラ３０５からグラフィックエンジン２０２へ発行された印刷命令の場合には、ディスパッチャ３０１はスプーラ３０２ではなく、プリンタドライバ２０３に印刷命令を送る。
【００４８】
プリンタドライバ２０３はプリンタ制御コマンドを生成し、システムスプーラ２０４経由でプリンタ１５００に出力する。
【００４９】
＜カラーレーザビームプリンタの構成＞
図４は、図１に示したプリンタ１５００の一例を説明するカラーレーザプリンタの断面図であり、例えば両面印刷機能を有するカラーレーザプリンタに対応する。
【００５０】
図４において、このプリンタはホストコンピュータ３０００より入力した印刷データに基づいて得られるイエロー（Ｙ）、マゼンタ（Ｍ）、シアン（Ｃ）、ブラック（Ｂ）各色毎の画像データで変調されたレーザ光をポリゴンミラー３１で反射し、一様に帯電された感光ドラム１５を露光走査して、画像データに対応した静電潜像を形成する。そして、この静電潜像を後述するように各色のトナーで現像して可視画像を得、これを中間転写体９へ全色について多重転写してカラー可視画像を形成する。そして更に、このカラー可視画像を記録紙等の転写材２へ転写し、転写材２上にカラー可視画像を定着させる。以上の制御を行う画像形成部は、感光ドラム１５を有するドラムユニット、接触帯電ローラ１７を有する一次帯電部、クリーニング部、現像部、中間転写体９、用紙カセット１や各種ローラ３、４、５、７を含む給紙部、転写ローラ１０を含む転写部及び定着部２５によって構成されている。
【００５１】
ドラムユニット１３は、感光ドラム（感光体）１５と感光ドラム１５のホルダを兼ねたクリーニング機構を有するクリーナ容器１４とを一体に構成したものである。このドラムユニット１３はプリンタ本体に対して着脱自在に支持され、感光ドラム１５の寿命に合わせて容易に交換可能に構成されている。上記感光ドラム１５は例えばアルミシリンダの外周に有機光導電体層を塗布して構成し、クリーナ容器１４に回転可能に支持されている。感光ドラム１５は、図示しない駆動モータの駆動力が伝達されて回転するもので、駆動モータは感光ドラム１５を画像形成動作に応じて反時計回り方向に回転させる。感光ドラム１５の表面を画像データに対応したレーザ光で選択的に露光することにより、画像データに対応した静電潜像が形成される。スキャナ部３０では、画像データで変調されたレーザ光を、モータ３１ａにより画像信号の水平同期信号に同期して回転するポリゴンミラーにより反射し、レンズ３２、反射鏡３３を介して感光ドラム１５を露光走査する。
【００５２】
現像部は、上記静電潜像をトナー等の現像剤によって可視画像化するために、イエロー（Ｙ）、マゼンダ（Ｍ）、シアン（Ｃ）の現像を行う３個のカラー現像器２０Ｙ、２０Ｍ、２０Ｃと、ブラック（Ｂ）の現像を行う１個のブラック現像器２１Ｂとを備えた構成を有する。カラー現像器２０Ｙ、２０Ｍ、２０Ｃ及びブラック現像器２１Ｂには、スリープ２０ＹＳ、２０ＭＳ、２０ＣＳ及び２１ＢＳと、これらスリープ２０ＹＳ、２０ＭＳ、２０ＣＳ、２１ＢＳそれぞれの外周に圧接する塗布ブレード２０ＹＢ、２０ＭＢ、２０ＣＢ及び２１ＢＢとがそれぞれ設けられる。また３個のカラー現像器２０Ｙ、２０Ｍ、２０Ｃには塗布ローラ２０ＹＲ、２０ＭＲ、２０ＣＲが設けられている。
【００５３】
また、ブラック現像器２１Ｂはプリンタ本体に対して着脱可能に取り付けられており、カラー現像器２０Ｙ、２０Ｍ、２０Ｃは回転軸２２を中心に回転する現像ロータリ２３にそれぞれ着脱可能に取り付けられている。
【００５４】
ブラック現像器２１Ｂのスリープ２１ＢＳは感光ドラム１５に対して例えば３００μｍ程度の微小間隔を持って配置されている。ブラック現像器２１Ｂは、器内に内蔵された送り込み部材によってトナーを搬送すると共に、時計回り方向に回転するスリープ２１ＢＳの外周に塗布ブレード２１ＢＢによって塗布するように摩擦帯電によってトナーへ電荷を付与する。また、スリープ２１ＢＳに現像バイアスを印加することにより、静電潜像に応じて感光ドラム１５に対して現像を行って感光ドラム１５にブラックトナーによる可視画像を形成する。
【００５５】
３個のカラー現像器２０Ｙ、２０Ｍ、２０Ｃは、画像形成に際して現像ロータリ２３の回転に伴って回転し、所定のスリープ２０ＹＳ、２０ＭＳ、２０ＣＳが感光ドラム１５に対して３００μｍ程度の微小間隔を持って対向することになる。これにより所定のカラー現像器２０Ｙ、２０Ｍ、２０Ｃが感光ドラム１５に対向する現像位置に停止し、感光ドラム１５に可視画像が作成される。
【００５６】
カラー画像形成時には、中間転写体９の１回転毎に現像ロータリ２３が回転し、イエロー現像器２０Ｙ、マゼンダ現像器２０Ｍ、シアン現像器２０Ｃ、次いでブラック現像器２１Ｂの順で現像工程がなされ、中間転写体９が４回転してイエロー、マゼンダ、シアン、ブラックのそれぞれのトナーによる可視画像を順次形成し、その結果フルカラー可視画像を中間転写体９上に形成する。
【００５７】
中間転写体９は、感光ドラム１５に接触して感光ドラム１５の回転に伴って回転するように構成されたもので、カラー画像形成時に時計回り方向に回転し、感光ドラム１５から４回の可視画像の多重転写を受ける。また、中間転写体９は画像形成時に後述する転写ローラ１０が接触して転写材２を挟持搬送することにより転写材２に中間転写体９上のカラー可視画像を同時に多重転写する。中間転写体の外周部には、中間転写体９の回転方向に関する位置を検知するためのＴＯＰセンサ９ａ及びＲＳセンサ９ｂと、中間転写体に転写されたトナー像の濃度を検知するための濃度センサ９ｃが配置されている。
【００５８】
転写ローラ１０は、感光ドラム１５に対して接離可能に支承された転写帯電器を備えたもので、例えば金属軸を中抵抗発泡弾性体により巻回することによって構成されている。
【００５９】
転写ローラ１０は、図４に実線で示すように中間転写体９上にカラー可視画像を多重転写している間は、カラー可視画像を乱さぬように下方に離開している。そして、中間転写体９上に４色のカラー可視画像が形成された後は、このカラー可視画像を転写材２に転写するタイミングにあわせてカム部材（不図示）により転写ローラ１０を図示点線で示す上方に位置させる。これにより転写ローラ１０は転写材２を介して中間転写体９に所定の押圧力で圧接すると共に、バイアス電圧が印加され、中間転写体９上のカラー可視画像が転写材２に転写される。
【００６０】
定着部２５は、転写材２を搬送させながら、転写されたカラー可視画像を定着させるものであり、転写材２を加熱する定着ローラ２６と転写材２を定着ローラ２６に圧接させるための加圧ローラ２７とを備えている。定着ローラ２６と加圧ローラ２７とは中空状に形成され、内部にそれぞれヒータ２８、２９が内蔵されている。即ち、カラー可視画像を保持した転写材２は定着ローラ２６と加圧ローラ２７とにより搬送されると共に、熱及び圧力を加えることによりトナーが表面に定着される。
【００６１】
可視画像定着後の転写材２は、その後排紙ローラ３４、３５、３６によって排紙部３７へ排出して画像形成動作を終了する。感光ドラム１５上に形成されたトナーによる可視画像を中間転写体９に転写した後の廃トナーあるいは、中間転写体９上に作成された４色のカラー可視画像を転写材２に転写した後の廃トナーは、クリーナ容器１４に蓄えられる。
【００６２】
印刷される転写材（記録用紙）２は、給紙トレイ１から給紙ローラ３により取り出されて中間転写体９と転写ローラ１０との間に挟まれるようにして搬送されてカラートナー画像が記録され、定着部２５を通過してトナー像が定着される。片面印刷の場合には、案内３８が上方の排紙部に記録用紙を導くように搬送経路を形成するが、両面印刷に対しては、下方の両面ユニットに導くように経路を形成する。
【００６３】
両面ユニットに導かれた記録用紙は、搬送ローラ４０により給紙トレイ１の下部（二点鎖線で示す搬送経路）に一旦送り込まれた後に逆方向に搬送され、両面トレイ３９に送られる。両面トレイ３９上では、用紙は給紙トレイ１に載置された状態とは表裏が逆になり、また搬送方向について前後が逆になっている。この状態で再びトナー像の転写、定着を再度行うことで、両面印刷ができる。
【００６４】
以下、本実施形態であるカラーモノクロ色判定処理の実施方法を詳細に説明する。
【００６５】
まず、印刷ダイアログの画面における「構成情報取得」ボタンがユーザがポインティングデバイス等の入力手段を操作してクリックされると、プリンタに能力の問い合せが実行される。
【００６６】
これは、カラー印刷モードと、モノクロ印刷モードとのページ単位の切り替え印刷処理が実行可能か否かを確認する処理である。
【００６７】
なお、プリンタに対するカラーモノクロ印刷モードの指定能力の有無を問い合わせるステップは、あらかじめ、プリンタの名称と能力のリストをプリンタドライバ内のメモリ（例えば外部メモリ１１）で保持しておき、それとの照合で判断するステップとして実行することも可能である。なお、この場合、リストを保持する必要性はあるが、マルチベンダ環境でプリンタとの応答を定義するよりも、容易に実行が可能である。
【００６８】
ここで、プリンタにモード切り替え処理が可能であると判定されると、例えば、図５で示すように、ページ毎にカラーとモノクロを自動的に切り替える「Ａｕｔｏ  Ｄｅｔｅｃｔ」が、図１に示したホストコンピュータ３０００のＣＲＴ１０上にＣＰＵ１の表示制御により表示される。
【００６９】
図５は、図１に示したホストコンピュータのＣＲＴに表示されるページセットアップ画面の一例を示す図である。
【００７０】
図５において、もし、カラーとモノクロのモード切り替えがページ単位で出来ないプリンタと判断されると、「Ａｕｔｏ  Ｄｅｔｅｃｔ」は表示されず、全ページをモノクロで印刷するか、カラーで印刷するかを意味する「Ｃｏｌｏｒ」と「Ｍｏｎｏ」のみが表示される。
【００７１】
図６は、本発明に係る画像処理システムにおける第１のデータ処理手順の一例を示すフローチャートであり、あいまいカラーモノクロ色判定を含む画像処理手順に対応する。なお、（５０１）〜（５０６）は各ステップを示す。
【００７２】
まず、ステップ（５０１）で、図５に示した印刷設定画面中において、「あいまい判断」が選択されているかどうかをＣＰＵ１が確認する。ここで、選択されていないと判断した時には、ステップ（５０３）へ進み、色の３原色であるＲ、Ｇ、Ｂの値が厳密に同じものだけをモノクロと判断し、それ以外は、カラーと判断する。
【００７３】
一方、ステップ（５０１）で、「あいまい判断」が選択されていると判断した場合には、ステップ（５０２）で、図７に示すようなＤｅｔａｉｌｅｄ Ｓｅｔｔｉｎｇｓ画面に設定される「あいまい度」をチェックして、ステップ（５０３）で、カラーモノクロ判定処理を行う。
【００７４】
図７は、図１に示したホストコンピュータのＣＲＴに表示されるあいまい度詳細設定画面の一例を示す図である。
【００７５】
なお、本実施形態では、Ｒ、Ｇ、Ｂの値の差が、ここで設定されている値以下の場合には、あいまいモノクロと判断し、それ以外は、カラーと判断する。
【００７６】
具体的な判定としては、Ｒ＝Ｇ＝Ｂならばモノクロと判断し、｜Ｒ−Ｇ｜＜Ｎ で、かつ、｜Ｇ−Ｂ｜＜Ｎ 、｜Ｂ−Ｒ｜＜Ｎであれば、あいまいモノクロと判断し、それ以外はカラーと判断する。なお、上記「Ｎ」は、あいまい度（図７に示すスライドレバーにより、例えば１０段階に設定される。
【００７７】
そして、カラーとモノクロの判定基準が決まると、詳細は図８で示すようにカラーとモノクロ色判定を行う。
【００７８】
そして、ステップ（５０４）で、Ｒ＝Ｇ＝ＢとなっているかどうかをＣＰＵ１が判断して、Ｒ＝Ｇ＝Ｂであると判断した場合は、モノクロと判断する。
【００７９】
一方、ステップ（５０４）で、Ｒ＝Ｇ＝Ｂでないと判断した場合は、｜Ｒ−Ｇ｜＜Ｎ で、かつ、｜Ｇ−Ｂ｜＜Ｎ 、｜Ｂ−Ｒ｜＜ＮであるかどうかをＣＰＵ１が判断して、｜Ｒ−Ｇ｜＜Ｎ で、かつ、｜Ｇ−Ｂ｜＜Ｎ 、｜Ｂ−Ｒ｜＜Ｎであると判断した場合は、あいまいモノクロと判断し、そのページのページオブジェクトの先頭に「あいまい」を意味するフラグを立て、それ以外であると判断した場合は、カラーと判断して、カラーフラグを立てる。
【００８０】
一方、ステップ（５０６）では、Ｒ＝Ｇ＝ＢとなっているかどうかをＣＰＵ１が判断して、Ｒ＝Ｇ＝Ｂであると判断した場合は、モノクロと判断し、それ以外の場合は、カラーと判断する。
【００８１】
図８は、本発明に係る画像処理システムにおける第２のデータ処理手順の一例を示すフローチャートであり、図６に示したステップ（５０３）の詳細手順に対応する。なお、（６０１）〜（６０４）は各ステップを示す。
【００８２】
先ず、ステップ（６０１）で、画像データのタイプがビットマップであるかどうかをＣＰＵ１が判定して、ビットマップであると判断した場合には、ステップ（６０３）において、まず、パレットＤＩＢ（Device Independent Bitmap：デバイス非依存ビットマップ）について、そのデータがモノクロかカラーかの判断がなされ、カラーページと判断されれば、そこで判定処理は終了する。
【００８３】
一方、ステップ（６０３）において、パレットＤＩＢについて、モノクロと判定された場合には、ステップ（６０４）で、さらにＤＤＢ（Device Dependent Bitmap：デバイス依存ビットマップ）のＢｉｔｓのチェックも行い、そのデータがモノクロか否かの判定がされる。モノクロであると判断した場合は、そのデータがモノクロで有ると判断し、それ以外はカラーであると判断して、処理を終了する。
【００８４】
なお、図示していないが、ＪＰＥＧスルーに代表されるように、アプリからスルーで画像データが送られてくる場合にも、同様のチェックを行うこととする。
【００８５】
なお、ここでは、パレットＤＩＢとＤＤＢのＢｉｔｓチェックを別々に判定する形態で示しているが、１ステップで全ての判定を行ってもよい。
【００８６】
一方、ステップ（６０１）で、画像データがビットマップでない、例えばテキストや線図形などの構造グラフィックデータであると判断された場合には、ペンやブラシに指定される色情報のチェックを行い、この結果に応じて、カラー、もしくはモノクロと判定される。
【００８７】
そして、カラーの図形データが１つでも見つかった時点で、当該判定処理は終了する。
【００８８】
図９は、図２，図３に示したプリンタドライバ２０３が管理するドキュメントのページオブジェクトの一例を示す図である。
【００８９】
図９において、７０１はジョブスタートで、ジョブエンド７０５までを１つのジョブとして管理される。７０２は印刷モードフィールドで、本文各ページ７０３に対する印刷モードが設定される。
【００９０】
例えば図６に示したステップ（５０５）の判定により、あいまいモノクロと判断されると、そのページのページオブジェクトの先頭に「あいまい」を意味するフラグを立てる。本例は、カラーモノクロの判定の結果、１ページ目がカラーと判定され、２ページ目がカラーと判定され、３ページ目がモノクロと判定され、４ページ目があいまいモノクロと判定され、５ページ目があいまいモノクロと判定され、６ページ目がモノクロと判定され、７ページ目がカラーと判定され、８ページ目があいまいモノクロと判定され、９ページ目がカラーと判定されたドキュメントのページオブジェクトを示したものである。ここでページオブジェクトの先頭に「あいまい」を意味するフラグがたっていると、印刷前に、該当するページに「？」を示すアイコンを付加して図１０で示すサムネイル形式でページ内容をプレビューする。
【００９１】
これにより、ユーザは、「？」を示すアイコンをポインティングデバイスでクリックしてページ表示して判定されたページ結果の真偽を確認することができ、判定結果を変更した場合には、図１０に示すサムネイルの下部に設けられるフラグ切り替えのためのコンボボックスを操作してモノクロ（Ｍｏｎｏ）あるいは、カラー（Ｃｏｌｏｒ）のいずれかに印刷モードを設定変更可能に構成されている。
【００９２】
図１０，図１１は、図１に示したホストコンピュータ３０００のＣＲＴ１０に表示される判定結果プレビュー画面の一例を示す図であり、図１０は、全ページの判定結果を表示した例であり、図１１は、曖昧判定によりユーザに確認を求めるページのみを抽出して表示した例である。
【００９３】
このようにユーザは、プレビューされる各ページの画像によって、ページ中のデータ構成を大まかな状態を視認により把握できる。
【００９４】
例えば写真、画像、線図等がページ中に含まれるか否か、テキストデータのみで構成されているか等の判断が可能であり、また、カラーデータが含まれているか、モノクロデータのみであるか等の判断ができ、ページにふさわしい印刷モードを、効率よく選択して設定することが出来る。
【００９５】
なお、図１０のモード設定画面においては、全ページを一度にディスプレイに表示する構成であるが、コンボボックスＣＢ２の設定をページ表示するに切り換え制御することにより、図１１に示すように、あいまいなページのみを表示するような構成にしてもよい。
【００９６】
このように、プレビューに画像のサムネイルを表示することによって、拡大縮小を可能とし、より細かい部分までモノクロかカラーかを、ユーザが自分の目で確認して、モード指定を行うことが可能となる。
【００９７】
また、各ページのプレビューの下には、カラーモノクロ設定を変更できるコンボボックスが表示される。ユーザは、例えば、１ページ目のカラーモノクロモードを変更したい場合には、１ページ目のコンボボックスを指定して、所望のモードにすることが可能である。
【００９８】
本実施形態では、カラーモノクロ判定の結果、あいまいと判断されたページを、プレビューで確認することによって、モード指定を行うことを主眼としているが、例えばカラーと判定されたページを、ここで強制的にモノクロに変更したり、モノクロと判定されたページを、強制的にカラーに変更することも可能である。これにより、Ｋ一色のトナーで印刷される原稿を、ＣＭＹＫのプロセスグレーに変更する場合などに有効である。
【００９９】
そして、図１０に示す画面上のＣＬＯＳＥボタンＢＴ１が選択されてプレビューを閉じると、その時に設定されているカラーモノクロ設定がページオブジェクトに反映される。
【０１００】
例えば、上記原稿に対して、２ページ目は「モノクロ」、４ページ目と８ページ目は「カラー」と設定してＣＬＯＳＥが選択されると、１ページ目が「カラー」と、２ページ目が「モノクロ」と、３ページ目が「モノクロ」と、４ページ目が「カラー」と、５ページ目が「モノクロ」と、６ページ目が「モノクロ」と、７ページ目が「カラー」と、８ページ目が「カラー」と、９ページ目が「カラー」といった設定値が、ページオブジェクト中の印刷モードフィールド７０２に上書きされて保持される。この時、上書きする設定値は、全ページの印刷モードフィールドとしてもよいし、モード変更のあったページの印刷モードフィールドのみとしてもよい。また、あいまい判定を意味するフラグ７０４は、この時点で落とされる（変更される）。このときのページオブジェクトを示したものが、図１２に示すジョブ管理テーブルである。
【０１０１】
図１２は、図２，図３に示したプリンタドライバ２０３が管理するドキュメントのページオブジェクトの管理テーブル例を示す図であり、図９に示したページオブジェクトの管理テーブル中であいまい判定を意味するフラグ７０４が、すべてカラーもしくはモノクロのいずれかに確定されている状態を示す。
【０１０２】
本実施形態において、印刷処理に際しては、各ページオブジェクトの先頭で指定された印刷モードフィールドに基づいて、カラーモノクロ設定コマンドをプリンタドライバ２０３が作成する。
【０１０３】
すなわち、ページオブジェクトに設定された印刷モードフィールドがカラーである場合には、カラー印刷処理モードに切り替えるコマンドを発行し、モノクロである場合には、モノクロ印刷処理モードに切り替えるコマンドを発行する。
【０１０４】
図１３は、本発明に係るデータ処理装置における第３のデータ処理手順の一例を示すフローチャートであり、図１に示したホストコンピュータ３０００のプリンタドライバによるドライバ切り替えコマンド発行処理を含むデータ処理（ページ毎に設定された印刷モードフィールドの情報を元に、プリンタドライバが印刷モードコマンドを発行する処理）手順の一例に対応する。なお、（８０１），（８０２）は各ステップを示す。
【０１０５】
上述したようにカラーモノクロ判定の結果、モノクロと判定されると、ステップ（８０１）で、指定されたモノクロモード設定コマンド、例えば「id_val_color_mode_mono」をプリンタドライバが作成する。そして、ステップ（８０２）で、プリンタ１５００に対して、印刷データを送信して、処理を終了する。
【０１０６】
図１４は、本発明に係るデータ処理装置における第４のデータ処理手順の一例を示すフローチャートであり、図１に示したホストコンピュータ３０００のプリンタドライバによるドライバ切り替えコマンド発行処理を含むデータ処理（ページ毎に設定された印刷モードフィールドの情報を元に、プリンタドライバが印刷モードコマンドを発行する処理）手順の一例に対応する。なお、（８０３），（８０４）は各ステップを示す。
【０１０７】
上述したようにカラーモノクロ判定の結果、カラーと判定されると、ステップ（８０３）で、指定されたカラーモード設定コマンド、例えば「id_val_color_mode_color」をプリンタドライバが作成する。そして、ステップ（８０４）で、プリンタ１５００に対して、印刷データを送信して、処理を終了する。
【０１０８】
このような処理を行うことによって、プリンタ側では各ページの構成、すなわちカラーページであるか、モノクロページであるかの判定処理を行う必要がなくなるので、高速でのプリント処理が可能となり、また、ユーザの設定モード情報に従って、間違いなくモード切り替えが実行されるので、モノクロページをカラー処理してしまうといった誤った印刷処理をなくすことできる。
【０１０９】
以上のように、ページ毎のカラー印刷モード、モノクロ印刷モード指定処理をプリンタドライバで自動判定する際に、ＲＧＢが全く同じものだけをカラーと判定するのではなく、ＲＧＢの差がある一定値以下である、あいまいなページに関しては、印刷時にプレビュー上であいまいであることを示す識別子を表示することによって、ユーザの期待する結果でなかった時には、プレビュー上からそのページの印刷モードを変更することにより、正しい印刷モードでの出力が可能となる。
【０１１０】
また、文書を構成するページの印刷処理のモード切り替えをプリンタドライバで行うことにより、プリンタ側での負荷を小さくするとともに、最適なモード、すなわちカラー印刷モード、またはモノクロ印刷モードでの印刷処理を、ページ単位で効率的に適時切り替えて実行することが可能となる。
【０１１１】
〔第２実施形態〕
本実施形態では、あいまいと判断されたページは、「モノクロ」とした状態で、「あいまい」を意味する識別子「？」を表示したが、これを「カラー」として、「あいまい」を意味する識別子を表示してもよい。
【０１１２】
つまり、あいまいと判断されたページのデフォルトを、カラーに変更するのである。
【０１１３】
具体的には、図７に示したＤｅｔａｉｌｅｄ  Ｓｅｔｔｉｎｇｓの「あいまい度」をチェックして、Ｒ、Ｇ、Ｂの差が、ここで設定されている値以下の場合には、あいまいカラーと判断し、それ以外は、カラーと判断するのである。
【０１１４】
そして、Ｒ＝Ｇ＝Ｂであれば、モノクロと、｜Ｒ−Ｇ｜＜Ｎ ＆ ｜Ｇ−Ｂ｜＜Ｎ ＆｜Ｂ−Ｒ｜＜Ｎであれば、あいまいカラーと、それ以外であればカラーと判定する。なお、「Ｎ」は、あいまい度を示す。
【０１１５】
そして、カラーモノクロ判定の結果、あいまいカラーと判断されると、そのページオブジェクト中の印刷モードフィールドはカラーとして、「あいまい」を意味するフラグを立てる。
【０１１６】
図１５は、図２，図３に示したプリンタドライバ２０３が管理するドキュメントのページオブジェクトの管理テーブル例を示す図であり、図９に示したページオブジェクトの管理テーブル中であいまい判定を意味するフラグ７０４が、すべてカラーもしくはモノクロのいずれかに確定されている状態を示す。
【０１１７】
図１５に示す例は、カラーモノクロ判定の結果、下記と判定された時のページオブジェクトの例である。
【０１１８】
本例には、１ページ目がカラーと判定され、２ページ目がカラーと判定され、３ページ目がモノクロと判定され、４ページ目が「あいまいカラー」と判定され、５ページ目が「あいまいカラー」と判定され、６ページ目がモノクロと判定され、７ページ目がカラーと判定され、８ページ目が「あいまいカラー」と判定され、９ページ目がカラーと判定された例である。
【０１１９】
これにより、疑わしい画像はカラーとしたユーザの要望も、実現することが可能になる。
【０１２０】
〔第３実施形態〕
本実施形態では、プリンタドライバが一旦スプールしたデータ（ページオブジェクト）に対して、カラーモノクロ判定を行い、それをＤＥＶＭＯＤＥ経由で、プリンタドライバに通知し、カラーモノクロモード設定コマンドを発行していたが、あいまい判定を含めたカラーモノクロ判定を、アプリケーション側で行うことも可能である。
【０１２１】
例えば、ワープロや表計算などのアプリケーション自体に、このカラーモノクロ判定、あいまい判定を持たせる構成にするのである。このような文書作成アプリケーション自体にこの機能を持たせることによって、ハードウエアの機能に応じた拡張性という点では劣るが、各アプリケーションに特化した構成とする事ができるので、使い勝手の点ではよいものが構成される。また、アプリケーション側で判定したカラーモノクロ結果は、印刷アプリケーションを構成するＡＰＩ（Ａｐｐｌｉｃａｔｉｏｎ Ｐｒｏｇｒａｍｍｉｎｇ Ｉｎｔｅｒｆａｃｅ）を用いて、プリンタドライバに通知する。
【０１２２】
以上説明したように、本実施形態によれば、すなわちカラーモノクロ判定処理によれば、ページ毎のカラー印刷モード、モノクロ印刷モード指定処理をプリンタドライバで自動判定する際に、ＲＧＢが全く同じものだけをカラーと判定するのではなく、ＲＧＢの差がある一定値以下である、あいまいなページに関しては、印刷時にプレビュー上であいまいであることを示す識別子を表示することによって、ユーザの期待する結果でなかった時には、プレビュー上からそのページの印刷モードを変更することにより、正しい印刷モードでの出力が可能になる。
【図面の簡単な説明】
【０１２３】
【図１】本発明の第１実施形態を示すプリンタ制御システムの構成を説明するブロック図である。
【図２】図１に示したホストコンピュータにおいてデータ処理を行うモジュールの構成の一例を示す図である。
【図３】図２に示したシステムを拡張したモジュール構成を説明するブロック図である。
【図４】図３に示したプリンタの一例である両面印刷機能を有するカラーレーザプリンタの断面図である。
【図５】図１に示したホストコンピュータのＣＲＴに表示されるページセットアップ画面の一例を示す図である。
【図６】本発明に係るデータ処理装置における第１のデータ処理手順の一例を示すフローチャートである。
【図７】図１に示したホストコンピュータのＣＲＴに表示されるあいまい度詳細設定画面の一例を示す図である。
【図８】本発明に係るデータ処理装置における第２のデータ処理手順の一例を示すフローチャートである。
【図９】図２，図３に示したプリンタドライバが管理するドキュメントのページオブジェクトの一例を示す図である。
【図１０】図１に示したホストコンピュータのＣＲＴに表示される判定結果プレビュー画面の一例を示す図である。
【図１１】図１に示したホストコンピュータのＣＲＴに表示される判定結果プレビュー画面の一例を示す図である。
【図１２】図２，図３に示したプリンタドライバが管理するドキュメントのページオブジェクトの管理テーブル例を示す図である。
【図１３】本発明に係るデータ処理装置における第３のデータ処理手順の一例を示すフローチャートである。
【図１４】本発明に係るデータ処理装置における第４のデータ処理手順の一例を示すフローチャートである。
【図１５】図２，図３に示したプリンタドライバが管理するドキュメントのページオブジェクトの管理テーブル例を示す図である。
【図１６】本発明に係る画像処理装置で読み取り可能な各種データ処理プログラムを格納する記憶媒体のメモリマップを説明する図である。
【符号の説明】
【０１２４】
２０１  アプリケーション
２０１  グラフィックエンジン
２０３  プリンタドライバ
２０４  システムスプーラ
１５００  プリンタ
３０００  ホストコンピュータ
【図１】
2005216030.tif 000003
【図２】
2005216030.tif 000004
【図３】
2005216030.tif 000005
【図４】
2005216030.tif 000006
【図５】
2005216030.tif 000007
【図６】
2005216030.tif 000008
【図７】
2005216030.tif 000009
【図８】
2005216030.tif 000010
【図９】
2005216030.tif 000011
【図１０】
2005216030.tif 000012
【図１１】
2005216030.tif 000013
【図１２】
2005216030.tif 000014
【図１３】
2005216030.tif 000015
【図１４】
2005216030.tif 000016
【図１５】
2005216030.tif 000017
【図１６】
2005216030.tif 000018